(57)【特許請求の範囲】
【請求項１】
非接触式ＩＣカードと情報処理装置とから構成された非接触式ＩＣカードシステムにおいて、
前記情報処理装置は、入力されたログイン名、パスワードを登録する登録手段と、該登録手段に登録された前記ログイン名、前記パスワードの正誤を判別する判別手段と、人間の目の眼光を感知して照合するデータ／眼光感知手段と、前記情報処理装置に登録された前記ログイン名、前記パスワード、前記データ／眼光感知手段で感知して記憶された人間の眼光の眼光データと、前記非接触式ＩＣカードに記憶された前記ログイン名、前記パスワード、前記眼光データとを照合し、前記非接触式ＩＣカードによるログインを許可するか否かを決定する処理手段とを具備し、
前記非接触式ＩＣカードは、予めログイン名、パスワードを記憶する識別情報記憶手段と、人間の目の眼光を感知して照合を行い眼光の整合性を判別する眼光照合手段と、該眼光照合手段で整合性を判別された眼光の眼光データを記憶する眼光記憶手段と、前記情報処理装置の前記データ／眼光感知手段との間で前記ログイン名、前記パスワード、前記眼光データを含むデータを通信する通信手段とを具備することを特徴とする非接触式ＩＣカードシステム。
【請求項２】
前記情報処理装置は、更に、前記ログイン名、前記パスワードを入力する入力手段と、前記非接触式ＩＣカードのログインが正常に実行されているか否かを表示する表示手段とを具備し、
前記非接触式ＩＣカードは、更に、前記情報処理装置から電磁誘導によりカード内に電源を供給する電源供給手段を具備することを特徴とする請求項１に記載の非接触式ＩＣカードシステム。
【請求項３】
前記非接触式ＩＣカードを使用する人間の眼光の眼光データを再登録する場合、前記情報処理装置の前記入力手段により前記ログイン名、前記パスワードを再登録するように設定されていることを特徴とする請求項１又は２に記載の非接触式ＩＣカードシステム。
【請求項４】
非接触式ＩＣカードと情報処理装置とから構成された非接触式ＩＣカードシステムにおける前記非接触式ＩＣカードによるログイン方法において、
ログイン名及びパスワードを記憶した前記非接触式ＩＣカードに装備された眼光照合手段により、前記非接触式ＩＣカードを使用する人間の眼光を照合して眼光の整合性を判別し、眼光判別に異常がない場合は眼光データを前記非接触式ＩＣカード内に記憶し、ログインを実行するときは、前記眼光照合手段で人間の眼光を感知して、前記非接触式ＩＣカードに記憶された前記ログイン名、前記パスワード、前記眼光データと照合し、異常がない場合は、さらに前記非接触式ＩＣカードに装備された通信手段を前記情報処理装置に装備されたデータ／眼光感知手段に近づけることにより、前記非接触式ＩＣカードに記憶された前記ログイン名、前記パスワード、前記眼光データと、前記情報処理装置に登録されたログイン名、パスワード、眼光データとを前記情報処理装置で照合し、前記非接触式ＩＣカードによるログインを許可するか否かを決定することを特徴とするログイン方法。
【請求項５】
非接触式ＩＣカードと情報処理装置とから構成された非接触式ＩＣカードシステムにおける前記非接触式ＩＣカードによるログインを制御する制御プログラムを記録した記録媒体において、
前記制御プログラムは、前記非接触式ＩＣカード内に予めログイン名、パスワードを記憶するステップと、前記非接触式ＩＣカードにおいて人間の目の眼光を感知し眼光の整合性を判別するステップと、前記非接触式ＩＣカードにおいて前記整合性を判別された眼光の眼光データを記憶するステップと、前記情報処理装置において入力されたログイン名、パスワードを登録するステップと、前記情報処理装置において前記登録された前記ログイン名、前記パスワードの正誤を判別するステップと、前記情報処理装置において人間の目の眼光を感知して照合し、記憶するステップと、ログインを実行するときは、前記非接触式ＩＣカードで人間の眼光を感知して、前記非接触式ＩＣカードに記憶された前記ログイン名、前記パスワード、前記眼光データと照合するステップと、異常がない場合は、さらに前記非接触式ＩＣカードから前記情報処理装置に対し前記ログイン名、前記パスワード、前記眼光データを含むデータを通信するステップと、前記情報処理装置に登録された前記ログイン名、前記パスワード、予め記憶した人間の眼光の眼光データと、前記非接触式ＩＣカードに記憶された前記ログイン名、前記パスワード、前記眼光データとを前記情報処理装置において照合し、前記非接触式ＩＣカードによるログインを許可するか否かを決定するステップとを有することを特徴とする制御プログラムをコンピュータが読取り可能な記録媒体。
【発明の詳細な説明】
【０００１】
【発明の属する技術分野】
本発明は、非接触式ＩＣカードシステム、ログイン方法及び記録媒体に関し、特に、非接触式ＩＣカードに記憶されたデータの悪用や破壊を防止する場合に好適な非接触式ＩＣカードシステム、ログイン方法及び記録媒体に関する。
【０００２】
【従来の技術】
従来より、ＩＤデータ等のデータが記憶されると共に、非接触で電子機器との間におけるデータの送受信が可能な非接触式ＩＣカードが各分野で広範に使用されている。コンピュータ装置を介して使用される非接触式ＩＣカードは、ＩＤデータやプログラムを起動するための特定電文を送信する技術や、指紋及び声紋を照合する技術など、簡素な技術に限定されている。他方、近年におけるハッカー等による、非接触式ＩＣカードに記憶されたデータの悪用及び破壊を完全に防止できない状況下においては、セキュリティ強化を図るために二重、三重の対策を検討する必要がある。
【０００３】
上記の非接触式ＩＣカードに関する従来例としては、例えば特許第２９６７７６４号公報に記載の技術が提案されている。同公報は、盗難によるデータの悪用を防止しセキュリティ向上を目的としたものであり、ログイン名、パスワードを記憶する記憶手段と、コンピュータ装置との間で非接触でデータの授受を行うためのセンサキットと、非接触式ＩＣカードの使用者の指紋を照合する指紋照合キットと、前記指紋照合キットで前記使用者が本人と確認されたときのみ、前記記憶手段に記憶された前記ログイン名、パスワードを前記センサキットを介して送信するように制御する手段とを備えたことを特徴とする非接触式ＩＣカードが開示されている。
【０００４】
【発明が解決しようとする課題】
しかしながら、上述した従来例においては次のような問題点があった。
【０００５】
上述したように、近年におけるハッカー等による非接触式ＩＣカードに記憶されたデータの悪用及び破壊を完全に防止できない状況下においては、セキュリティ強化を図るために二重、三重の対策を検討する必要がある。しかしながら、非接触式ＩＣカードが例えば盗難に遭遇した場合や、更に非接触式ＩＣカードの盗難防止策が充分でない場合、インターネットが急速に普及している今日においては、ハッカー等によるコンピュータウイルスで、非接触式ＩＣカードに記憶されたデータの悪用及び破壊を完全に防止できない可能性があるという問題点があった。特に、カード所有者になりすまして、例えば指紋の特徴点のデータを読み出して、カードの偽造から金銭の採受を行うという可能性がなきにしもあらず、完全防止という課題には未だ至っていないのが実状である。
【０００６】
本発明の目的は、非接触式ＩＣカードに眼光照合キットを付加し、更にコンピュータ装置側にも眼光照合センサを付加することにより、非接触式ＩＣカードの盗難によるハッカー等のコンピュータ悪用を使用者の眼光の二重判定によって強力に防止可能とした非接触式ＩＣカードシステム、ログイン方法及び記録媒体を提供するものである。
【０００７】
【課題を解決するための手段】
本発明は、非接触式ＩＣカードと情報処理装置とから構成された非接触式ＩＣカードシステムにおいて、前記情報処理装置は、入力されたログイン名、パスワードを登録する登録手段と、該登録手段に登録された前記ログイン名、前記パスワードの正誤を判別する判別手段と、人間の目の眼光を感知して照合するデータ／眼光感知手段と、前記情報処理装置に登録された前記ログイン名、前記パスワード、前記データ／眼光感知手段で感知して記憶された人間の眼光の眼光データと、前記非接触式ＩＣカードに記憶された前記ログイン名、前記パスワード、前記眼光データとを照合し、前記非接触式ＩＣカードによるログインを許可するか否かを決定する処理手段とを具備し、前記非接触式ＩＣカードは、予めログイン名、パスワードを記憶する識別情報記憶手段と、人間の目の眼光を感知して照合を行い眼光の整合性を判別する眼光照合手段と、該眼光照合手段で整合性を判別された眼光の眼光データを記憶する眼光記憶手段と、前記情報処理装置の前記データ／眼光感知手段との間で前記ログイン名、前記パスワード、前記眼光データを含むデータを通信する通信手段とを具備することを特徴とする。
【０００８】
また、本発明は、非接触式ＩＣカードと情報処理装置とから構成された非接触式ＩＣカードシステムにおける前記非接触式ＩＣカードによるログイン方法において、ログイン名及びパスワードを記憶した前記非接触式ＩＣカードに装備された眼光照合手段により、前記非接触式ＩＣカードを使用する人間の眼光を照合して眼光の整合性を判別し、眼光判別に異常がない場合は眼光データを前記非接触式ＩＣカード内に記憶し、ログインを実行するときは、前記眼光照合手段で人間の眼光を感知して、前記非接触式ＩＣカードに記憶された前記ログイン名、前記パスワード、前記眼光データと照合し、異常がない場合は、さらに前記非接触式ＩＣカードに装備された通信手段を前記情報処理装置に装備されたデータ／眼光感知手段に近づけることにより、前記非接触式ＩＣカードに記憶された前記ログイン名、前記パスワード、前記眼光データと、前記情報処理装置に登録されたログイン名、パスワード、眼光データとを前記情報処理装置で照合し、前記非接触式ＩＣカードによるログインを許可するか否かを決定することを特徴とする。
【０００９】
また、本発明の非接触式ＩＣカードシステムは、図１及び図２を参照しつつ説明すれば、非接触式ＩＣカード（図１の２）と情報処理装置（図１の１）とから構成された非接触式ＩＣカードシステムにおいて、前記情報処理装置は、入力されたログイン名、パスワードを登録する登録手段（図１の１１）と、該登録手段に登録された前記ログイン名、前記パスワードの正誤を判別する判別手段（図１の１２）と、前記非接触式ＩＣカードに記憶されたログイン名、パスワード、眼光データや、人間の目の眼光を感知するデータ／眼光感知手段（図１の１４）と、前記情報処理装置に登録された前記ログイン名、前記パスワード、前記データ／眼光感知手段で感知した人間の眼光の眼光データと、前記非接触式ＩＣカードに記憶された前記ログイン名、前記パスワード、前記眼光データとを照合し、前記非接触式ＩＣカードによるログインを許可するか否かを決定する処理手段（図１の１３）とを具備し、前記非接触式ＩＣカードは、予めログイン名、パスワードを記憶する識別情報記憶手段（図２の２３）と、人間の目の眼光を感知し眼光の整合性を判別する眼光照合手段（図２の２５、２４）と、該眼光照合手段で整合性を判別された眼光の眼光データを記憶する眼光記憶手段（図２の２４）と、前記情報処理装置の前記データ／眼光感知手段との間で前記ログイン名、前記パスワード、前記眼光データを含むデータを通信する通信手段（図２の２７）とを具備している。
【００１０】
［作用］
本発明の非接触式ＩＣカードシステムは、非接触式ＩＣカードの眼光照合手段により、非接触式ＩＣカードの使用者の眼光を照合して眼光の整合性を判別し、眼光判別に異常がない場合は眼光データを非接触式ＩＣカード内に記憶し、非接触式ＩＣカードの通信手段を情報処理装置のデータ／眼光感知手段に近づけることにより、非接触式ＩＣカードに記憶されたログイン名、パスワード、眼光データと、情報処理装置に登録されたログイン名、パスワード、眼光データとを情報処理装置で照合し、非接触式ＩＣカードによるログインを許可するか否かを決定するように制御している。このため、非接触式ＩＣカードの使用者を、非接触式ＩＣカード側並びに情報処理装置側で二重にチェックすることが可能となり、従って、非接触式ＩＣカードにおける例えばログイン名等の改竄といったような、非接触式ＩＣカードの盗難によるハッカー等のコンピュータ悪用を、上記のような使用者の眼光の二重判定によって強力に防止することが可能となる。
【００１１】
【発明の実施の形態】
次に、本発明の実施形態について図面を参照して詳細に説明する。
【００１２】
（１）構成の説明
本発明の実施形態の非接触式ＩＣカードシステムは、図１に示す如く、コンピュータ装置１と、周辺装置としての入力手段１５と、周辺装置としての表示手段１６と、非接触式ＩＣカード２とから構成されている。更に、上記コンピュータ装置１は、登録手段１１、判別手段１２、処理手段１３、センサ感知手段１４、記録再生手段１７を具備している。図中、１８は本発明の制御プログラムが格納された記録媒体であり、フロッピーディスクやＣＤ−ＲＯＭ，ＤＶＤ等のパッケージメディアからなる。
【００１３】
上記構成を詳述すると、非接触式ＩＣカードシステムを構成するコンピュータ装置１において、登録手段１１は、システム立ち上げ時等に、入力手段１５を介して入力されたログイン名、パスワードを登録する。判別手段１２は、入力手段１５を介して入力されたログイン名、パスワードの正誤を判別する。処理手段１３は、非接触式ＩＣカード２に記憶されたログイン名、パスワード、眼光データと、コンピュータ１に登録されたログイン名、パスワード、眼光データとを照合し、両者が一致した場合に非接触式ＩＣカード２のログインの実行を許可する処理を行う。すなわち、ＩＣカード２と予めコンピュータ装置内に格納されている記録情報とが一致した場合に、スタートの許可が得られるわけである。
【００１４】
また、センサ感知手段１４は、内蔵のセンサにより、非接触式ＩＣカード２からログイン名、パスワード情報を感知すると共に、人間の眼光に関する眼光データを感知する。上記登録手段１１、判別手段１２、処理手段１３は、コンピュータ装置１のＣＰＵの機能に相当する。また、上記センサ感知手段１４は、コンピュータ装置１の適所に、人間の眼光（網膜模様の構成）を感知可能な光電変換素子のような画像データ検出用センサが設けられている。
【００１５】
記録再生手段１７は、記録媒体１８が着脱自在に装着されるものであり、装着された記録媒体１８から本発明の制御プログラムを読み出し、処理手段１３へ供給する。本発明の制御プログラムは、後述の図３のフローチャートに示すコンピュータ装置１における処理（ステップＳ２０〜ステップＳ２３）、及び非接触式ＩＣカード２における処理（ステップＳ３１〜ステップＳ４０）をプログラムコード化したものである。記録媒体１８としては、フロッピーディスク、ＣＤ−ＲＯＭ、ＣＤ−Ｒ等を用いることができる。
【００１６】
周辺装置としての入力手段１５は、キーボードやマウス等から構成されると共に、コンピュータ装置１と電気的に接続されており、ログイン名、パスワードを入力する際に用いる。周辺装置としての表示手段１６は、例えばＣＲＴディスプレイ等から構成されると共に、コンピュータ装置１と電気的に接続されており、ログイン情報を表示する。尚、上記の表示手段１６はＣＲＴディスプレイに限定されるものではなく、例えば液晶ディスプレイから構成してもよい。
【００１７】
他方、非接触式ＩＣカードシステムを構成する非接触式ＩＣカード２は、図２に示す如く、ＣＰＵ２１、送受信制御手段２２、ログイン名／パスワード記憶手段２３、眼光記憶判別手段２４、眼光照合キット２５、電源回路２６、センサキット２７をカード内部に具備している。
【００１８】
上記構成を詳述すると、ＣＰＵ２１には、送受信制御手段２２、ログイン名／パスワード記憶手段２３、眼光記憶判別手段２４、眼光照合キット２５が各々接続され、また、眼光記憶判別手段２４には眼光照合キット２５、ログイン名／パスワード記憶手段２３が各々接続され、また、送受信制御手段２２にはログイン名／パスワード記憶手段２３、電源回路２６、センサキット２７が各々接続されている。
【００１９】
送受信制御手段２２は、ＣＰＵ２１と、ログイン名／パスワード記憶手段２３、電源回路２６、センサキット２７との間における各種信号の送受信を制御する。ログイン名／パスワード記憶判別手段２３は、システム立ち上げの際に必要となるログイン名、パスワードを予め記憶している。眼光記憶判別手段２４は、人間の目の眼光に関する眼光データを記憶する。眼光照合キット２５は、人間の眼光を照合する。電源回路２６は、上記コンピュータ装置１より電磁誘導によって非接触式ＩＣカード２に電源を供給する。センサキット２７は、上記コンピュータ装置１のセンサ感知手段１４との間でログイン名、パスワード情報、眼光データの送受信を行う。
【００２０】
即ち、本発明の実施形態では、非接触式ＩＣカードシステムを、上述したコンピュータ装置１と、ログイン名／パスワードを入力する入力手段１５と、ログイン情報を表示する表示手段１６と、ログイン名、パスワード情報、眼光データをセンサで発信するセンサキット２１、個人を判別する眼光照合キット２５を装備した非接触式ＩＣカード２とから構成することにより、非接触式ＩＣカード２によるログインを許可するか否かを、非接触式ＩＣカード２及びコンピュータ装置１の双方で二重に照合し、二重の照合で問題ないと判定した場合にログインの実行を可能とするように構成されている。
【００２１】
（２）動作の説明
次に、本発明の実施形態の動作について図１〜図３を参照して詳細に説明する。
【００２２】
先ず、非接触式ＩＣカード２でログインを実行するためには、コンピュータ装置１にログイン名、パスワードを登録する必要がある。そこで、コンピュータ装置１の電源を投入して立ち上げた後、使用する人間のユーザ登録を実施する。ユーザ登録完了後、使用する人間は、入力手段１５でログイン名、パスワードを入力してログアウト後、入力されたログイン名、パスワードを登録手段１１に登録することにより、登録完了となる（ステップＳ２０、ステップＳ２１）。そして、上記登録手段１１に登録されたログイン名、パスワードは、判別手段１２により妥当性（正誤）を判別して（ステップＳ２２）、データ受信待ち状態の非接触式ＩＣカード２へログイン名、パスワードのデータを送信する（ステップＳ２３）。これに伴い、非接触式ＩＣカード２はコンピュータ装置１から送信された上記データを受信する（ステップＳ３４）。
【００２３】
更に、例えば視力検査を受ける場合の如く、非接触式ＩＣカード２を所持した人間が目を、コンピュータ装置１に装備されているセンサ感知手段１４に近づけると、人間の目の眼光をセンサ感知手段１４で照合すると共に、同じ人間の目の眼光をセンサ感知手段１４で、もう１回リピートで照合する。センサ感知手段１４で２回照合された眼光に関しては、目の網膜等のデータがキャッチされる（ステップＳ２２−１）。そして、キャッチした上記データの整合性を処理手段１３で判別して（ステップＳ２２−２）、センサ感知手段１４へ眼光データを送信すると共に、眼光データを処理手段１３が有する記憶領域に記憶する（ステップＳ２２−３）。
【００２４】
ここで、目の眼光を検出することは、特に、眼光のうち目の網膜の模様は、個人を識別するためには極めて有効であるといわれており、光電変換素子や高密度のＣＣＤ等の眼光センサで検出するセンサ感知手段１４はカード所有者を識別するために有効である。
【００２５】
次に、非接触式ＩＣカード２を使用する人間の眼光を照合する動作について説明する。先ず、非接触式ＩＣカード２を使用する人間が目を、視力検査を受ける場合の如く、眼光照合キット２５に近づけると、人間の目の眼光を眼光照合キット２５で照合すると共に、同じ人間の目の眼光をもう１回リピートで照合する。眼光照合キット２５で２回照合された眼光に関しては、目の網膜等のデータがキャッチされる（ステップＳ３１）。そして、キャッチした該データの整合性を眼光記憶判別手段２４で判別して（ステップＳ３２）、眼光記憶判別手段２４へ眼光データを送信する（ステップＳ３３）。以上の登録を完了することで、非接触式ＩＣカード２からのログインを実行することが可能となる。
【００２６】
次に、人間が非接触式ＩＣカード２を使用してログインを実行する動作について説明する。非接触式ＩＣカード２を使用する人間が、視力検査を受ける場合の如く、眼光照合キット２５に目を近づけると、人間の目の眼光を眼光照合キット２５で照合する。眼光照合キット２５で目の網膜等のデータをキャッチして、眼光記憶判別手段２４で整合性を判別する。眼光判別に異常がなければ、異常なしと判別された眼光データがログイン名／パスワード記憶手段２３へ送信される（ステップＳ３５）。
【００２７】
上記の如く、非接触式ＩＣカード２の眼光照合キット２５で眼光を照合した後、非接触式ＩＣカード２を使用する人間が、該非接触式ＩＣカード２に装備されたセンサキット２７をコンピュータ装置１のセンサ感知手段１４へ近づけると、コンピュータ装置１においても、人間の目の網膜等のデータをキャッチして、処理手段１３で整合性を判別する（ステップＳ２２−２）。その際、非接触式ＩＣカード２に記憶されたログイン名、パスワードと、コンピュータ装置１に登録されたログイン名、パスワードとを処理手段１３で照合し、両者が一致するか否かを判別する。非接触式ＩＣカード２及びコンピュータ装置１双方の判別において正常であれば、非接触式ＩＣカード２の電源回路２６から電磁誘導によって、カード内の各回路に電源が供給される（ステップＳ３７）。この後、非接触式ＩＣカード２からセンサキット２７を介して、コンピュータ装置１へデータが送信される（ステップＳ３８、ステップＳ３９）。
【００２８】
尚、上記方法で一定時間経過後、非接触式ＩＣカード２によってログインが実行できなかった場合は、再度、眼光照合のために人間が眼光照合キット２５により目を照合して、更に目の網膜等のデータを再キャッチする（ステップＳ３１）。そして、キャッチした上記データの整合性を眼光記憶判別手段２４で判別して、ログインを再度実行する。
【００２９】
非接触式ＩＣカード２による上記ログインが正常に実行されているか否かの確認に際しては、コンピュータ装置１のセンサ感知手段１４が非接触式ＩＣカード２からデータを受信して、ログイン実行を処理する処理手段１３を経て、表示手段１６にデータを表示する（ステップＳ４０）。これにより、コンピュータ装置１の操作者は表示手段１６の表示内容を確認する。
【００３０】
次に、非接触式ＩＣカード２の眼光照合キット２５で該非接触式ＩＣカード２を使用する人間の眼光を再度登録する時は、人間がコンピュータ装置１で入力手段１５を介して、再度、ログイン名、パスワードを登録しなければ、眼光データを再度登録することはできない。
【００３１】
以上説明したように本発明の実施形態によれば、非接触式ＩＣカード２に眼光照合キット２５を装備し、更にコンピュータ装置１側にも眼光照合用のセンサ感知手段１４を装備することにより、非接触式ＩＣカード２の盗難によるハッカー等のコンピュータ悪用を、使用者の眼光の二重判定によって強力に防止することが可能となる。
【００３２】
【発明の効果】
以上説明したように本発明によれば、非接触式ＩＣカードに装備された眼光照合手段により、非接触式ＩＣカードの使用者の眼光を照合して眼光の整合性を判別し、眼光判別に異常がない場合は眼光データを非接触式ＩＣカード内に記憶し、非接触式ＩＣカードに装備された通信手段を情報処理装置に装備されたデータ／眼光感知手段に近づけることにより、非接触式ＩＣカードに記憶されたログイン名、パスワード、眼光データと、情報処理装置に登録されたログイン名、パスワード、眼光データとを情報処理装置で照合し、非接触式ＩＣカードによるログインを許可するか否かを決定するように制御しているため、非接触式ＩＣカードの使用者を、非接触式ＩＣカード側並びに情報処理装置側で二重にチェックすることが可能となり、従って、非接触式ＩＣカードにおける例えばログイン名等の改竄といったような、非接触式ＩＣカードの盗難によるハッカー等のコンピュータ悪用を、上記のような使用者の眼光の二重判定によって強力に防止することが可能となる、という極めて優れた効果を奏する。
【図面の簡単な説明】
【図１】本発明の実施形態の非接触式ＩＣカードシステムにおけるコンピュータ装置の構成を示すブロック図である。
【図２】本発明の実施形態の非接触式ＩＣカードシステムにおける非接触式ＩＣカードの内部構成を示すブロック図である。
【図３】本発明の実施形態の非接触式ＩＣカードシステムにおけるコンピュータ装置及び非接触式ＩＣカードの各々の動作を示すフローチャートである。
【符号の説明】
１  コンピュータ装置
２  非接触式ＩＣカード
１１  登録手段
１２  判別手段
１３  処理手段
１４  センサ感知手段
１５  入力手段
１６  表示手段
１７  記録再生手段
１８  記録媒体
２１  ＣＰＵ
２３  ログイン名／パスワード記憶手段
２４  眼光記憶判別手段
２５  眼光照合キット
２６  電源回路
２７  センサキット
【図１】
0003656494.tif 000002
【図２】
0003656494.tif 000003
【図３】
0003656494.tif 000004